(57)【要約】【課題】異周波ハンドオーバーを抑制する。【解決手段】パラメータ記憶部１０８には、移動状態（移動速度）及び通信中の周波数に対応するオフセット値が記憶されている。パラメータ特定部１０９は、通信中の周波数と移動状態に対応するオフセット値をパラメータ記憶部１０８から読み出す。測定部１１１は異周波の無線品質を測定する。測定制御部１１０は、無線品質にオフセット値を加算して制御情報を生成する。制御情報は送信部１０１を介してネットワーク２００に送信される。【選択図】図２
2011103510.tif 000002
【特許請求の範囲】
【請求項１】
複数の基地局を有するネットワークと通信を行う移動機であって、
当該移動機の移動速度を特定する速度特定部と、
前記ネットワークが異周波ハンドオーバーを実施するために必要となる制御情報を生成する制御部と、
前記制御情報を前記ネットワークに送信する送信部とを備え、
当該移動機と前記ネットワークとの間では複数の周波数のいずれかを用いて通信可能であり、前記複数の周波数は優先的に使用すべき所定の優先周波数を含み、
前記制御部は、現在ネットワークと通信中の周波数が前記優先周波数であり、且つ前記移動速度が基準速度を上回る場合、前記制御情報の内容及び前記制御情報を前記ネットワークに送信する頻度のうち少なくとも一方を変更する、
ことを特徴とする移動機。
【請求項２】
前記制御部は、
前記制御情報の生成及び前記制御情報を前記ネットワークに送信する頻度の制御のうち少なくとも一方に用いるパラメータを前記移動速度に対応付けて、前記複数の周波数ごとに記憶するパラメータ記憶部と、
前記速度情報及び通信中の周波数に対応するパラメータを前記記憶部から読み出し、読み出したパラメータに基づいて、前記制御情報の内容及び前記制御情報を前記ネットワークに送信する頻度のうち少なくとも一方を変更する変更部と、
を備える請求項１に記載の移動機。
【請求項３】
通信中の基地局から前記優先周波数を示す優先周波数情報を受信する受信部を備え、
前記制御部は、
前記制御情報の生成及び前記制御情報を前記ネットワークに送信する頻度の制御のうち少なくとも一方に用いるパラメータを前記速度情報に対応付けて記憶すると共に、前記優先周波数と他の周波数とで異なるパラメータを記憶したパラメータ記憶部と、
現在ネットワークと通信中の周波数が前記優先周波数であるか否かを判定する判定部と、
前記判定部の判定結果と前記速度情報に基づいて、前記パラメータ記憶部からパラメータを読み出し、読み出したパラメータに基づいて、前記制御情報の内容及び前記制御情報を前記ネットワークに送信する頻度のうち少なくとも一方を変更する変更部と、
を備える請求項１に記載の移動機。
【請求項４】
無線品質を測定して測定値を出力する測定部を備え、
前記パラメータは無線品質のオフセット値であり、
前記制御情報は前記測定値であり、
前記変更部は、前記測定値を前記オフセット値を用いて補正して前記制御情報の内容を変更する、
ことを特徴とする請求項２又は３に記載の移動機。
【請求項５】
前記パラメータは、異周波の無線品質の測定を開始する基準となる異周波測定開始閾値である、
ことを特徴とする請求項２又は３に記載の移動機。
【請求項６】
優先的に使用される優先周波数を含む複数の周波数で移動機と通信を実行するネットワークであって、
前記移動機の移動速度を特定する速度特定部と、
前記移動機と通信中の周波数を取得する周波数取得部と、
通信中の周波数と前記移動速度とに基づいて、異周波ハンドオーバーの実施条件を変更する変更部とを備える、
ことを特徴とするネットワーク。
【請求項７】
前記変更部は、前記異周波ハンドオーバーの実施条件と前記移動速度とを対応付けて前記複数の周波数ごとに記憶した記憶部を備え、通信中の周波数と前記速度情報とに基づいて、前記異周波ハンドオーバーの実施条件を前記記憶部から読み出して、異周波ハンドオーバーの実施条件を変更する、
ことを特徴とする請求項６に記載のネットワーク。
【請求項８】
複数の基地局を有するネットワークと、複数の周波数のいずれかを用いて通信可能である移動機との間でのハンドオーバー制御方法であって
前記複数の周波数は優先的に使用される所定の優先周波数を含み、
当該移動機の移動速度を測定し、
前記移動機において、通信中の周波数が前記優先周波数であり、且つ前記移動速度が所定速度を上回る場合、異周波数でハンドオーバーを実施するために必要となる制御情報の内容及び前記制御情報を前記ネットワークに送信する頻度のうち少なくとも一方を変更し、
前記移動機において、前記制御情報を前記ネットワークに送信する、
ことを特徴とするハンドオーバー制御方法。
【請求項９】
複数の基地局を有するネットワークと、複数の周波数のいずれかを用いて通信可能である移動機との間でのハンドオーバー制御方法であって
前記複数の周波数は優先的に使用される所定の優先周波数を含み、
当該移動機の移動速度を特定し、
前記ネットワークにおいて、前記移動機と通信中の周波数を特定し、
前記ネットワークにおいて、前記移動速度と前記通信中の周波数とに基づいて、異周波ハンドオーバーの実施条件を変更する、
ことを特徴とするハンドオーバー制御方法。
【発明の詳細な説明】
【技術分野】
【０００１】
本発明は、異周波ハンドオーバーに対応する移動機、ネットワーク及びハンドオーバー制御方法に関する。
【背景技術】
【０００２】
移動通信システムでは、サービスを提供するエリアが複数のセルに分割され、複数のセルの各々に基地局が配置される。移動機がセルを跨って移動すると、移動機は通信の相手である基地局を切り替える。移動機が通信する基地局を切り替えることをハンドオーバーと呼ぶ。ハンドオーバーには、切り替え前の通信周波数と切り替え後の通信周波数が同じ同周波ハンドオーバー（ソフトハンドオーバー）と、切り替え前の通信周波数と切り替え後の通信周波数とが異なる異周波ハンドオーバーがある。
異周波ハンドオーバーは、同周波ハンドオーバーと比較して、呼切断の確率が高く消費電力が大きい。
【０００３】
異周波ハンドオーバーには、（１）ネットワークが異周波ハンドオーバーを実施すべきことを判断して移動機に異周波ハンドオーバー実施通知を送信した後、移動機及びネットワークにおいて異周波ハンドオーバーを実施する方法と、（２）移動機が異周波ハンドオーバーを実施すべきことを判断してネットワークに異周波ハンドオーバー実施通知を送信した後、移動機及びネットワークにおいて異周波ハンドオーバーを実施する方法とがある。いずれの方法においても、基地局における送信電力測定の結果又は移動機における異周波の無線品質測定の結果等に基づいて異周波ハンドオーバーの実施が判断される。例えば、ある基地局と周波数ｆ１で通信しており、次の基地局と周波数ｆ２で通信する場合を想定する。例えば、異周波ハンドオーバーは、周波数ｆ１における無線品質と周波数ｆ２における無線品質との差分が閾値を超えることを条件に実施すればよい。
【０００４】
特許文献１には、そのような異周波ハンドオーバーの制御方法として、移動機の移動速度を考慮して異周波ハンドオーバーを実施する技術が開示されている。すなわち、移動機の移動速度を検出し、移動速度に応じて閾値を変更する。この技術によれば、移動速度が大きくなるにつれて閾値を高くすることにより、移動速度が大きい場合に異周波ハンドオーバーの実施回数を抑制することが可能となる。
【先行技術文献】
【特許文献】
【０００５】
【特許文献１】特開２００４−４８５２８
【発明の概要】
【発明が解決しようとする課題】
【０００６】
ところで、高速で移動する移動機は、多数のセルを短時間で移動する。ネットワーク内には隣のセルと共通に使用できる周波数と、そうでない周波数がある。上述の従来の技術では、移動速度が高速であるほど異周波ハンドオーバーが抑制されるように制御されるに過ぎないので、移動機が多くのセルで共通して使用できない周波数を用いて基地局と通信している場合、使用している周波数がいずれは使用不能になり、異周波ハンドオーバーを実行することになる。この異周波ハンドオーバー後においても、ハンドオーバー後の周波数が多くのセルで共通して通信可能な周波数であるとは限らない。
したがって、従来の技術では、異周波ハンドオーバーを十分に抑制することができないといった問題があった。
本発明は上述した事情に鑑みてなされたものであって、異周波ハンドオーバーを十分に抑制することができる移動機、ネットワーク及びハンドオーバー制御方法を提供することを解決課題とする。
【課題を解決するための手段】
【０００７】
かかる課題を解決するために、本発明に係る移動機は、複数の基地局を有するネットワークと通信を行うものであって、当該移動機の移動速度を特定する速度特定部と、前記ネットワークが異周波ハンドオーバーを実施するために必要となる制御情報を生成する制御部と、前記制御情報を前記ネットワークに送信する送信部とを備え、当該移動機と前記ネットワークとの間では複数の周波数のいずれかを用いて通信可能であり、前記複数の周波数は優先的に使用すべき所定の優先周波数を含み、前記制御部は、現在ネットワークと通信中の周波数が前記優先周波数であり、且つ前記移動速度が基準速度を上回る場合、前記制御情報の内容及び前記制御情報を前記ネットワークに送信する頻度のうち少なくとも一方を変更する。
【０００８】
この発明によれば、移動機が優先周波数でネットワークと通信中である場合には、移動速度が基準速度を上回ると、制御情報の内容及び制御情報をネットワークに送信する頻度が変更される。したがって、優先周波数の通信している場合には、異周波ハンドオーバーを抑制することができる。これによって、移動機及びネットワークにおいて、ハンドオーバーに係る処理負荷を低減することができ、ひいては移動機の消費電力を低減しバッテリーの消費を抑制することが可能となる。
【０００９】
ここで、制御部は、現在ネットワークと通信中の周波数が前記優先周波数であり、且つ前記移動速度が基準速度を上回る場合、他の周波数で通信中の場合と比較して、前記優先周波数での通信が継続され易いように前記制御情報の内容及び前記制御情報を前記ネットワークに送信する頻度のうち少なくとも一方を変更することが好ましい。現在ネットワークと通信中の周波数は優先周波数であるから、「優先周波数での通信が継続され易い」とは、異周波ハンドオーバーよりも同周波数ハンドオーバーの方が実施され易いという意味である。仮に制御情報が異周波ハンドオーバーと無関係であれば、その内容を変更しても異周波ハンドオーバーの実施に影響を与えない。しかしながら、本発明の制御情報は、ネットワークが異周波ハンドオーバーを実施するために必要となる情報であるから、その内容を変更することによって、異周波ハンドオーバーの実施を制御することができる。そのような制御情報としては、移動機で測定される異周波の無線品質が例示される。この場合、優先周波数が継続され易いように制御情報を変更するとは、異周波の無線品質を実際の測定値よりも悪い値に変更することを意味する。これにより、ネットワークは、異周波ハンドオーバーを実施しても良好な無線品質を維持できないと認識するから、同周波ハンドオーバーを選択することになる。
【００１０】
また、ネットワークでは制御情報が移動機から送られると、その制御情報に基づいて異周波ハンドオーバーの実施を検討するので、制御情報をネットワークへ送信する頻度が少ない場合は多い場合と比較して、異周波ハンドオーバーが実施される可能性が小さくなる。
「優先周波数での通信が継続され易いように制御情報をネットワークに送信する頻度を変更する」とは、制御情報をネットワークに送信する頻度を他の周波数で通信中の場合と比較して小さくするという意味である。制御情報をネットワークに送信する頻度の変更は、直接的であると間接的であるとを問わない。例えば、直接的な頻度の変更には、制御情報を送信するか、あるいはしないかといった変更や送信周期の変更が含まれる。また、間接的な変更には、所定条件の充足を制御情報の送信の必要条件とする場合に、所定条件を変更することが含まれる。所定条件としては、異周波測定開始閾値の変更を例示できる。異周波測定開始閾値は、異周波の無線品質を測定する契機となる現在通信中の周波数の無線品質である。すなわち、現在通信中の周波数の無線品質が異周波測定開始閾値を下回ると、異周波の無線品質の測定を開始する。例えば、異周波測定開始閾値を下げると、異周波測定開始閾値を下げない場合と比較して、異周波の無線品質の測定が開始され難くなるので、制御情報をネットワークに送信する頻度が小さくなる。これにより、異周波ハンドオーバーの実施が抑制される。
【００１１】
ここで、速度特定部は、移動機の移動速度を測定してもよいし、あるいは、ネットワークから取得してもよい。また、所定速度は適宜設定することができる。さらに、優先周波数は、１でも２以上でもよい。例えば、サービスエリアのいずれかで使用される周波数がｆ１〜ｆｎである場合に、周波数ｆ１及びｆ２が多くのセルで共通して使用可能であれば、周波数ｆ１及びｆ２を優先周波数とすることもできる。
【００１２】
上述した移動機において、前記制御部は、前記制御情報の生成及び前記制御情報を前記ネットワークに送信する頻度の制御のうち少なくとも一方に用いるパラメータを前記移動速度に対応付けて、前記複数の周波数ごとに記憶するパラメータ記憶部と、前記速度情報及び通信中の周波数に対応するパラメータを前記記憶部から読み出し、読み出したパラメータに基づいて、前記制御情報の内容及び前記制御情報を前記ネットワークに送信する頻度のうち少なくとも一方を変更する変更部とを備えることが好ましい。
この場合、パラメータ記憶部は、周波数ごとにパラメータを移動速度に対応付けて記憶しているので、通信中の周波数と移動速度とに対応するパラメータをパラメータ記憶部から読み出すことができる。パラメータ記憶部は不揮発性のメモリでることが好ましく、書き換え可能であってもよいし、書き換え不能であってもよい。また、「複数の周波数ごとに記憶する」とは、パラメータと移動速度の関係が周波数に応じて異なってもよいし、また、パラメータと移動速度の関係が複数の周波数で共通する場合はそれらをまとめて記憶する場合を含む。
くわえて、前記パラメータ記憶部に記憶されたパラメータは前記優先周波数での通信が継続され易いように設定されていることが好ましい。ここで、「優先周波数での通信が継続され易い」の意味内容は上述した通りである。
【００１３】
上述した移動機において、通信中の基地局から前記優先周波数を示す優先周波数情報を受信する受信部を備え、前記制御部は、前記制御情報の生成及び前記制御情報を前記ネットワークに送信する頻度の制御のうち少なくとも一方に用いるパラメータを前記速度情報に対応付けて記憶すると共に、前記優先周波数と他の周波数とで異なるパラメータを記憶したパラメータ記憶部と、現在ネットワークと通信中の周波数が前記優先周波数であるか否かを判定する判定部と、前記判定部の判定結果と前記速度情報に基づいて、前記パラメータ記憶部からパラメータを読み出し、読み出したパラメータに基づいて、前記制御情報の内容及び前記制御情報を前記ネットワークに送信する頻度のうち少なくとも一方を変更する変更部とを備えることが好ましい。
この場合には、優先周波数をネットワークから取得することができるので、システムの更新などにより、一旦決定した優先周波数を変更する場合にも対応できる。また、地域ごとに優先周波数を変更することも可能となり、優先周波数を設定する自由度が大幅に向上する。
【００１４】
上述した移動機において、無線品質を測定して測定値を出力する測定部を備え、前記パラメータは無線品質のオフセット値であり、前記制御情報は前記測定値であり、前記変更部は、前記測定値を前記オフセット値を用いて補正して前記制御情報の内容を変更することが好ましい。
この発明によれば、異周波ハンドオーバーの実施の可否をネットワークで判断するために、移動機で受信される異周波の無線品質の測定値をネットワークに報告する。ここで、パラメータ記憶部から読み出された無線品質のオフセット値を用いて測定値を補正することによって、異周波の無線品質を実際の測定値よりも悪くネットワークに報告することが可能となる。これによりネットワークでは、優先周波数で通信中であり、且つ高速で移動する移動機に対して、異周波ハンドオーバーの実施を抑制することができる。
【００１５】
また、上述した移動機において、前記パラメータは、異周波の無線品質の測定を開始する基準となる異周波測定開始閾値であることが好ましい。この場合、パラメータである異周波測定開始閾値は、ネットワークに送信する頻度の制御に用いられる。具体的には、優先周波数の異周波測定開始閾値は、他の周波数の異周波測定開始閾値よりも小さく設定されている。このため、通信中の周波数が優先周波数である場合には、他の周波数と比較して、小さい異周波測定開始閾値が読み出される。この結果、ネットワークと優先周波数で通信中には無線品質が悪くなっても異周波測定開始閾値を下回らない限り異周波の無線品質の測定が開始されない。よって、制御情報をネットワークに送信する頻度が小さくなるので、異周波ハンドオーバーの実施が抑制される。
【００１６】
次に、本発明に係るネットワークは、優先的に使用される優先周波数を含む複数の周波数で移動機と通信を実行するものであって、前記移動機の移動速度を特定する速度特定部と、前記移動機と通信中の周波数を取得する周波数取得部と、通信中の周波数と前記移動速度とに基づいて、異周波ハンドオーバーの実施条件を変更する変更部とを備える。
この発明によれば、通信中の周波数を特定し通信中の周波数と前記移動速度とに基づいて、異周波ハンドオーバーの実施条件を変更する。これにより、異周波ハンドオーバーの実施を抑制して、呼切断の確率を低減すると共に、移動機の消費電力を低減することができる。
【００１７】
ここで、変更部は前記通信中の周波数が前記優先周波数である場合には、前記通信中の周波数がその他の周波数である場合と比較して、異周波ハンドオーバーが実施され難くなるように異周波ハンドオーバーの実施条件を変更することが好ましい。「異周波ハンドオーバーが実施され難くなるように異周波ハンドオーバーの実施条件を変更する」とは、例えば、基地局が移動機へ送信する電力が基地局送信電力閾値を上回ることを異周波ハンドオーバーを実施する必要条件とする場合に、基地局送信電力閾値を大きい値に変更することが該当する。基地局送信電力閾値を大きくすると、基地局と移動機との無線品質が悪くなり基地局送信電力が大きくなっても、基地局送信電力閾値を上回らない限り異周波ハンドオーバーが実施されない。したがって、異周波ハンドオーバーの実施を抑制することができる。また、例えば、ネットワークから移動機に対して、異周波の無線品質の測定を実行する指令を送る場合には、通信中の周波数が優先周波数であれば指令を送らず、その他の周波数である場合には指令を送るようにしてもよい。ここで、指令には、異周波の無線品質を測定するための時間を確保するためにデータの伝送レートを高める圧縮モードの起動指示が含まれる。
【００１８】
上述したネットワークにおいて前記変更部は、前記異周波ハンドオーバーの実施条件と前記移動速度とを対応付けて前記複数の周波数ごとに記憶した記憶部を備え、通信中の周波数と前記速度情報とに基づいて、前記異周波ハンドオーバーの実施条件を前記記憶部から読み出して、異周波ハンドオーバーの実施条件を変更することが好ましい。この場合、記憶部に異周波ハンドオーバーの実施条件を記憶しておくので、判定結果と移動速度とに基づいて簡単に異周波ハンドオーバーの実施条件を変更することができる。
【００１９】
次に、本発明に係るハンドオーバー制御方法は、複数の基地局を有するネットワークと、複数の周波数のいずれかを用いて通信可能である移動機との間でのハンドオーバーを制御する方法であって、前記複数の周波数は優先的に使用される所定の優先周波数を含み、当該移動機の移動速度を特定し、前記移動機において、通信中の周波数が前記優先周波数であり、且つ前記移動速度が所定速度を上回る場合、異周波数でハンドオーバーを実施するために必要となる制御情報の内容及び前記制御情報を前記ネットワークに送信する頻度のうち少なくとも一方を変更し、前記移動機において、前記制御情報を前記ネットワークに送信する。
この発明によれば、移動機が優先周波数で通信中であり、且つ移動速度が所定速度を上回る場合、制御情報の内容及び制御情報をネットワークに送信する頻度が変更される。ここで、頻度の変更は、優先周波数での通信が継続され易いように変更することが好ましい。これにより、優先周波数の通信している場合には、異周波ハンドオーバーを抑制することができる。そして、移動機及びネットワークにおいて、ハンドオーバーに係る処理負荷を低減することができ、ひいては移動機の消費電力を低減しバッテリーの消費を抑制することが可能となる。
【００２０】
次に、本発明に係るハンドオーバー制御方法は、複数の基地局を有するネットワークと、複数の周波数のいずれかを用いて通信可能である移動機との間でのハンドオーバーを制御する方法であって、前記複数の周波数は優先的に使用される所定の優先周波数を含み、当該移動機の移動速度を特定し、前記ネットワークにおいて、前記移動機と通信中の周波数を特定し、前記ネットワークにおいて、前記移動速度と前記通信中の周波数とに基づいて、異周波ハンドオーバーの実施条件を変更する。
この発明によれば、移動速度と通信中の周波数とに基づいて異周波ハンドオーバーの実施条件を変更することができる。例えば、通信中の周波数が優先周波数である場合には、他の周波数の場合と比較して異周波ハンドオーバーの実施条件を厳しくすることが可能となる。これにより、異周波ハンドオーバーの実施を抑制して、呼切断の確率を低減すると共に、移動機の消費電力を低減することができる。
【図面の簡単な説明】
【００２１】
【図１】移動通信システムの構成を示すブロック図である。
【図２】第１実施形態に係る移動機１００の構成を示すブロック図である。
【図３】第１実施形態に係るパラメータ記憶部１０８の記憶内容を示す説明図である。
【図４】優先周波数を説明するための説明図である。
【図５】第１実施形態に係る移動機のＣＰＵにおける異周波ハンドオーバーの動作を示すフローチャートである。
【図６】第１実施形態の変形例１に係るパラメータ記憶部１０８の記憶内容を示す説明図である。
【図７】第１実施形態の変形例１に係る移動機のＣＰＵにおける異周波ハンドオーバーの動作を示すフローチャートである。
【図８】第１実施形態の変形例２に係るパラメータ記憶部１０８の記憶内容を示す説明図である。
【図９】第１実施形態の変形例２に係る移動機のＣＰＵにおける異周波ハンドオーバーの動作を示すフローチャートである。
【図１０】第１実施形態の変形例４に係るパラメータ記憶部１０８の記憶内容を示す説明図である。
【図１１】第１実施形態の変形例４に係る移動機のＣＰＵにおける異周波ハンドオーバーの動作を示すフローチャートである。
【図１２】第２実施形態に係るネットワーク２００の構成を示すブロック図である。
【図１３】第２実施形態に係るパラメータ記憶部２０６の記憶内容を示す説明図である。
【図１４】第２実施形態に係るハンドオーバー判定部２０７における異周波ハンドオーバーの動作を示すフローチャートである。
【図１５】第２実施形態の変形例１に係るパラメータ記憶部２０６の記憶内容を示す説明図である。
【図１６】第２実施形態の変形例１に係るハンドオーバー判定部２０７における異周波ハンドオーバーの動作を示すフローチャートである。
【図１７】第２実施形態の変形例２に係るパラメータ記憶部２０６の記憶内容を示す説明図である。
【図１８】第２実施形態の変形例２に係るハンドオーバー判定部２０７における異周波ハンドオーバーの動作を示すフローチャートである。
【発明を実施するための形態】
【００２２】
＜第１実施形態＞
以下、本発明に係る移動機及びネットワークを含む移動通信システムを、図面を参照しながら説明する。
図１は移動通信システムの構成を示すブロック図である。この図に示すように、移動通信システムＡは、複数の移動機１００とネットワーク２００を含む。ネットワーク２００は、複数の基地局２０と無線ネットワークコントローラ３０とを備える。無線ネットワークコントローラ３０は、各移動機１００の位置情報を管理すると共に、ハンドオーバーの制御を行うことができる。また、移動通信システムＡにおいて基地局間のハンドオーバーは、異周波ハンドオーバーと同周波ハンドオーバーの両方を実施可能である。なお、同周波ハンドオーバーは、ソフトハンドオーバーによって実現できる。
【００２３】
図２に移動機１００の構成を示す。移動機１００は、ネットワーク２００の基地局２０からの信号を受信する受信部１０３を備える。受信部１０３は、アンテナやアンプなどを備える。受信制御部１０４は受信部１０３を制御して、受信信号を速度特定部１０５に出力すると共に、通信中の周波数を示す周波数情報をパラメータ特定部１０９に供給する。
【００２４】
また、速度特定部１０５は、移動機１００の移動速度を取得する機能を備えている。移動速度は、加速度センサ１０６で測定される加速度や地磁気センサ１０７で検出される方位に基づいて、速度特定部１０５で算出することができる。また、基地局２０からの信号を受信部１０３で受信し、速度特定部１０５は、その受信信号からフェージングによる電波レベルの変動や位相の変動を検出し、検出結果から移動速度を算出してもよい。なお、移動速度の特定は、これらに限定されるものではなく、加速度センサ１０６や地磁気センサ１０７の替わりにＧＰＳ（Global Positioning System）を用いてもよい。あるいは、アイドル状態において待ち受けセルを切り替える（Reselection）回数をネットワーク２００または移動機１００においてカウントすることにより移動機１００の移動速度を特定してもよい。
【００２５】
さらに、速度特定部１０５は、移動速度を複数の段階のいずれかに分類して、移動状態を特定する。この例では、移動速度を、超高速、高速、中速、低速、及び静止といった５段階に分類する。
【００２６】
次に、パラメータ記憶部１０８は、移動状態とパラメータとを対応付けて、周波数ごとに記憶している。この例においてパラメータは無線品質のオフセット値である。無線品質のオフセット値は、移動機１００と基地局２０との通信で測定された無線品質の補正に用いる値である。また、無線品質は、通信の品質を表す指標であればどのようなものであってもよく、例えば、受信電界強度や受信品質（Primary CPICH（Common pilot channel）のEc/N0(Energy per Chip to Noise Ratio）)が該当する。この例では、受信品質（Ec／N0）を採用する。
【００２７】
図３（Ａ）に、パラメータ記憶部１０８の記憶内容を示す。この例では、ｎ個の周波数ｆ１、ｆ２、…ｆｎの各々について、移動状態とオフセット値とが対応付けられて記憶されている。ここで、周波数ｆ１は、他の周波数ｆ２〜ｆｎと比較して、利用できるエリアが広い周波数である。このため、周波数ｆ１は他の周波数ｆ２〜ｆｎと比較して、高速で移動する移動機１００に優先して割り当てる優先周波数として機能する。
【００２８】
例えば、図４に示すように高速道路を移動する車両に移動機１００がある場合を想定する。この例では、車両がセルＣ１→セルＣ２→…セルＣ５といったように移動する。また、セルＣ１において通信可能な周波数はｆ１、ｆ２及びｆ３であり、セルＣ２において通信可能な周波数はｆ１、ｆ３及びｆ４であり、セルＣ３において通信可能な周波数はｆ１、ｆ４及びｆ５であり、セルＣ４において通信可能な周波数はｆ１、ｆ５及びｆ６であり、セルＣ５において通信可能な周波数はｆ１、ｆ６及びｆ７である。この場合、周波数ｆ１は全てのセルＣ１〜Ｃ５において共通の周波数である。この周波数は優先周波数として設定される。
【００２９】
説明を図３に戻す。移動状態が、超高速、高速、中速、低速、及び静止の各々におけるオフセット値をＸ１、Ｘ２、Ｘ３、Ｘ４、及びＸ５とすると、周波数ｆ１では、Ｘ１＝−３０、Ｘ２＝−２０、Ｘ３＝−１０、Ｘ４＝０、及びＸ５＝０である。これに対して、周波数ｆ２では、Ｘ１＝−１５、Ｘ２＝−１０、Ｘ３＝−５、Ｘ４＝０、及びＸ５＝０である。すなわち、移動機１００が高速で移動する場合には、周波数ｆ１は周波数ｆ２と比較してオフセット値の絶対値が大きくなるように設定されている。
なお、他の周波数ｆ２〜ｆｎのオフセット値が共通の場合には、パラメータ記憶部１０８の記憶内容は図（Ｂ）に示すように、優先周波数ｆ１と他の周波数ｆ２〜ｆｎごとに記憶してもよい。
【００３０】
パラメータ特定部１０９は、パラメータ記憶部１０８にアクセスして、移動機１００の移動状態（移動速度）と周波数情報の示す周波数に対応するオフセット値を読み出して測定制御部１１０に供給する。読み出されたオフセット値は、測定制御部１１０に供給される。例えば、移動状態が超高速、且つ通信中の周波数がｆ１である場合には、オフセット値Ｘ１＝−３０を読み出す。
【００３１】
測定制御部１１０は、読み出したパラメータであるオフセット値に基づいて、ハンドオーバーの候補となるセルを検出すると共に、候補となるセルとの通信について無線品質を特定する。測定部１１１は、無線品質を測定し、測定結果を測定制御部１１０に供給する。測定部１１１の測定値をＹ、パラメータ特定部１０９から供給されるオフセット値をＸとしたとき、測定制御部１１０は測定値Ｙにオフセット値Ｘ（dB）を加算して補正値Ｚを生成する。そして、補正値Ｚを制御情報として、送信制御部１０２に供給する。送信制御部１０２は送信部１０１を介して制御情報をネットワーク２００に送信する。なお、異周波ハンドオーバーの候補となるセルの探索の開始は、測定部１１１において現在通信中の無線品質を測定し、測定制御部１１０においてその測定値が異周波測定開始閾値を下回った場合に開始してもよい。
【００３２】
例えば、通信中の周波数が優先周波数ｆ１であり、異周波ハンドオーバーの候補となる周波数がｆ２であり、移動状態が超高速であったとする。この場合、オフセット値Ｘ１は「−３０ｄＢ」である。周波数ｆ２の無線品質の測定値がＹである場合、測定値Ｙよりも−３０ｄＢ悪い値が制御情報としてネットワーク２００に報告される。
ネットワーク２００では、制御情報に基づいて異周波ハンドオーバーの実施について判断する。ネットワーク２００において認識される制御情報は、オフセット値Ｘで補正されている。このため、通信中の周波数が優先周波数ｆ１である場合、実際の測定値Ｙよりも悪い無線品質が報告される。すると、ネットワーク２００は、移動機１００がすでに通信に使用している周波数に代わるような品質の良い異周波が周辺に存在しないと認識する。これにより、異周波ハンドオーバーの実施が抑制され，優先的に通信をさせたい周波数のセルでの通信を継続させることができる。
【００３３】
以上の構成において、送信制御部１０２、受信制御部１０４、速度特定部１０５、パラメータ特定部１０９、及び測定制御部１１０は、ＣＰＵ及びこれにより実行されるプログラムによって構成することが可能である。この場合、移動機１００は、プログラムを記憶したＲＯＭ、及びＣＰＵの作業領域として機能するＲＡＭなどを備える。パラメータ記憶部１０８はＲＯＭによって構成することができる。
【００３４】
次に、ＣＰＵが、異周波ハンドオーバーに係るプログラムを実行する場合の動作について説明する。図５は、ＣＰＵの動作を示すフローチャートである。
ＣＰＵは、移動機１００の移動速度を特定する(ステップＳ１０１)。具体的には、ＣＰＵは、加速度センサ１０６の出力信号を積分して移動速度を算出する。あるいは、ＣＰＵは、地磁気センサ１０７の出力信号に基づいて位置情報を算出し、単位時間当たりの位置の変化を算出して移動速度を得る。なお、ネットワーク２００から移動速度を取得してもよい。
【００３５】
この後、ＣＰＵは、移動速度を５段階のいずれかに分類して、移動状態を特定する(ステップＳ１０２)。この例では、２５０ｋｍ/ｈ、１５０ｋｍ/ｈ、１００ｋｍ/ｈ、及び５０ｋｍ/ｈに閾値を設けて移動状態を特定する。
【００３６】
次に、ＣＰＵは、現在、受信部１０３を用いてネットワーク２００と通信中の下りの周波数を特定し、この周波数と移動状態に対応するオフセット値をパラメータ記憶部１０８から読み出す(ステップＳ１０３)。読み出されたオフセット値がパラメータとなる。パラメータ記憶部１０８に記憶されたオフセット値は、通信中の周波数が優先周波数である場合に、異周波ハンドオーバーの候補となる周波数の無線品質が悪くなるように設定されている。
【００３７】
次に、ＣＰＵは、測定部１１１を用いて異周波ハンドオーバーの候補となる周波数の無線品質を測定する(ステップＳ１０４)。次に、ＣＰＵは測定値にオフセット値を加算して測定値を補正して制御情報を生成する(ステップＳ１０５)。次に、ＣＰＵは、制御情報を送信部１０１に供給して、制御情報をネットワーク２００に報告する(ステップＳ１０６)
。この移動通信システムでは、ネットワーク２００において異周波ハンドオーバーの可否を判断する。この際、ネットワーク２００は、移動機１００から報告される無線品質を判断要素とする。例えば、ネットワーク２００は、無線品質が基準値以上であれば異周波ハンドオーバーを実施し、基準値未満であれば実施しないと判断する。
【００３８】
上述したように、移動機１００のＣＰＵは、異周波ハンドオーバーの候補となる周波数における無線品質をそのままネットワークに報告するのではなく、無線品質の測定値にオフセット値を加算して得た補正値をネットワーク２００に報告する。そして、オフセット値は、移動機１００が基地局２０と現在通信中の周波数と移動機１００の移動状態（移動速度）に応じて定まる。図３に示す例では、移動速度が１００ｋｍ／ｈ未満の低速及び静止では、現在通信中の周波数がどのような周波数であろうともオフセット値は「０」である。そして、移動速度が１００ｋｍ／ｈ以上の中速、高速及び超高速では、周波数ｆ１のオフセット値が周波数ｆ２〜ｆｎのオフセット値よりも絶対値が大きくなっている。ここで、周波数ｆ１は他の周波数ｆ２〜ｆｎと比較して高速で移動する移動機１００に優先的に割当てるように用意された優先周波数である。ＣＰＵは、通信中の周波数が優先周波数ｆ１であり、且つ移動速度が１００ｋｍ／ｈを上回る場合、他の周波数ｆ２〜ｆｎで通信中の場合と比較して、優先周波数ｆ１での通信が継続され易いようにオフセット値を選択する。これにより、所定速度（この例では１００ｋｍ／ｈ）を上回る速度で移動機１００が移動する場合、優先周波数ｆ１で通信中であれば、異周波ハンドオーバーの発生を大幅に抑制することが可能となる。
【００３９】
＜第１実施形態の変形例１＞
上述した第１実施形態では、無線品質のオフセット値を通信中の周波数に応じて変更したが、本発明はこれに限定されるものではなく、例えば、以下の変形が可能である。
一般に、異周波ハンドオーバーは通信中の無線品質が所定レベルを下回ったことを契機に異周波セルの探索が開始される。上述した第１実施形態では、通信中の周波数の無線品質が固定の異周波測定開始閾値を下回った場合に異周波セルの探索を開始した。これに対して変形例では、無線品質のオフセット値を変更する替わりに、通信中の周波数と移動機１００の移動速度とに応じて異周波測定開始閾値を変更する。移動機１００は、現在ネットワーク２００と通信中の無線品質を監視し、基準値を下回ると異周波セル探索を開始する。異周波測定開始閾値は、異周波の無線品質を測定するか否かの判定基準となる基準値を意味する。
【００４０】
この場合、パラメータ記憶部１０８には、移動状態と異周波測定開始閾値とを、周波数ごとに記憶すればよい。図６（Ａ）に、パラメータ記憶部１０８の記憶内容を示す。この例では、ｎ個の周波数ｆ１、ｆ２、…ｆｎの各々について、移動状態と異周波測定開始閾値とが対応付けられて記憶されている。より具体的には、超高速、高速、中速、低速、及び静止の各々における異周波測定開始閾値をＸ１、Ｘ２、Ｘ３、Ｘ４、及びＸ５とすると、周波数ｆ１では、Ｘ１＝−２０、Ｘ２＝−２０、Ｘ３＝−１５、Ｘ４＝−１３、及びＸ５＝−１０である。これに対して、周波数ｆ２では、Ｘ１＝−１０、Ｘ２＝−１０、Ｘ３＝−７．５、Ｘ４＝−５、及びＸ５＝０である。すなわち、周波数ｆ１は周波数ｆ２と比較して異周波測定開始閾値が小さくなるように設定されている。
なお、他の周波数ｆ２〜ｆｎのオフセット値が共通の場合には、パラメータ記憶部１０８の記憶内容は図６（Ｂ）に示すように、優先周波数ｆ１と他の周波数ｆ２〜ｆｎごとに記憶してもよい。
【００４１】
次に、変形例１に係るＣＰＵが、異周波ハンドオーバーに係るプログラムを実行する場合の動作について説明する。図７は、ＣＰＵの動作を示すフローチャートである。
まず、ＣＰＵは、移動機１００の移動速度を特定し(ステップＳ２０１)、移動速度に基づいて移動状態を特定する(ステップＳ２０２)。これらの動作は上述した実施形態のステップＳ１０１及びステップＳ１０２と同様である。
【００４２】
次に、ＣＰＵは、現在、受信部１０３を用いてネットワーク２００と通信中の下りの周波数を特定し、この周波数と移動状態に対応する異周波測定開始閾値をパラメータ記憶部１０８から読み出す(ステップＳ２０３)。パラメータ記憶部１０８に記憶された異周波測定開始閾値は、通信中の周波数が優先して使用させる周波数である場合に、異周波測定が実施され難くなるように設定されている。
【００４３】
次に、ＣＰＵは、測定部１１１を用いて通信中の無線品質を測定する(ステップＳ２０４)。この後、ＣＰＵは測定値が読み出した異周波測定開始値を下回るか否かを判定する(ステップＳ２０５)。判定条件が肯定される場合、ＣＰＵは測定部１１１を用いて異周波の無線品質の測定を開始する(ステップＳ２０６)。一方、判定条件が否定される場合、ＣＰＵは異周波の無線品質の測定を実施することなく処理を終了する。
異周波測定が開始された場合には、異周波の無線品質の測定結果が制御情報としてネットワーク２００に通知される。しかしながら、この変形例によれば、通信中の周波数が優先周波数ｆ１である場合には、その他の周波数ｆ２〜ｆｎと比較して異周波測定開始閾値が低く設定されているので、異周波の無線品質の測定が抑制される。ネットワーク２００では、移動機１００から異周波の無線品質測定結果の報告を受けて異周波ハンドオーバーの可否を判定する。したがって、通信中の周波数が優先周波数である場合には、異周波ハンドオーバーの実施を抑制することが可能となる。
【００４４】
＜第１実施形態の変形例２＞
上述した第１実施形態で説明したように、異周波ハンドオーバーの実施については、異周波セルの無線品質を移動機１００で測定し、その測定結果の報告を受けたネットワーク２００が異周波ハンドオーバーの実施について可否を判断していた。変形例２は、測定結果の報告の頻度を、通信中の周波数と移動状態（移動速度）に応じて変更するものである。
【００４５】
変形例２において、パラメータ記憶部１０８には、移動状態（移動速度）と報告の頻度とを、周波数ごとに記憶する。図８（Ａ）に、パラメータ記憶部１０８の記憶内容を示す。この例では、ｎ個の周波数ｆ１、ｆ２、…ｆｎの各々について、移動状態と報告の頻度とが対応付けられて記憶されている。なお、他の周波数ｆ２〜ｆｎの報告の頻度が共通の場合には、パラメータ記憶部１０８の記憶内容は図８（Ｂ）に示すように、優先周波数ｆ１と他の周波数ｆ２〜ｆｎごとに記憶してもよい。
【００４６】
ここで、報告の頻度は、単位時間当たりの報告回数の他に、報告の有り無しを含む概念である。報告無しは、単位時間当たりの報告回数がゼロであり、報告有りは、単位時間当たりの報告回数が所定回数の場合である。
図８（Ａ）に示す例では、周波数ｆ１では、超高速及び高速の場合に報告無しであり、中速、低速、及び静止の場合に報告有りとなる。これに対して周波数ｆ２〜ｆｎでは、超高速の場合に報告無しであり、高速、中速、低速、及び静止の場合に報告有りとなる。したがって、移動状態が高速の場合、周波数ｆ２〜ｆｎでは異周波の無声品質について報告がなされるが、優先して使用される周波数ｆ１では報告がなされないことになる。
【００４７】
次に、変形例２に係るＣＰＵが、異周波ハンドオーバーに係るプログラムを実行する場合の動作について説明する。図９は、ＣＰＵの動作を示すフローチャートである。
まず、ＣＰＵは、移動機１００の移動速度を特定し(ステップＳ３０１)、移動速度に基づいて移動状態を特定する(ステップＳ３０２)。これらの動作は上述した実施形態のステップＳ１０１及びステップＳ１０２と同様である。
【００４８】
次に、ＣＰＵは、現在、受信部１０３を用いてネットワーク２００と通信中の下りの周波数を特定し、この周波数と移動状態に対応する報告の頻度をパラメータ記憶部１０８から読み出す(ステップＳ３０３)。次に、ＣＰＵは、測定部１１１を用いて異周波の無線品質を測定する(ステップＳ３０４)。この後、ＣＰＵは報告の頻度が報告有りを示すか否かを判定する(ステップＳ３０５)。判定条件が肯定される場合、ＣＰＵはステップＳ３０４で測定した異周波の無線品質の測定値を制御情報としてネットワーク２００に報告する(ステップＳ３０６)。一方、判定条件が否定される場合、ＣＰＵは報告することなく処理を終了する。
【００４９】
ネットワーク２００は、異周波の無線品質の測定結果が制御情報として報告されると、測定結果に基づいて異周波ハンドオーバーの実施を判断する。したがって、制御情報の報告を受け取らない限り、異周波ハンドオーバーは実施されない。この例では、通信中の周波数と移動速度に応じて、報告の頻度を変更する。これにより、通信中の周波数が優先して使用させる周波数である場合には、報告の頻度（報告無しを含む）を低下させることによって、異周波ハンドオーバーの実施を抑制することが可能となる。
【００５０】
＜第１実施形態の変形例３＞
上述した第１実施形態、変形例１、及び変形例２は、適宜組み合わせてもよい。例えば、第１実施形態、変形例１、及び変形例２を重複して適用する場合には、１）無線品質のオフセット値の変更、２）異周波測定開始閾値の変更、３）異周波測定結果報告の頻度の変更を実行することになる。この場合、異周波測定結果報告の頻度の変更→異周波測定開始閾値の変更→無線品質のオフセット値の変更の順に判断することが好ましい。このような順序で判断すれば、無駄な処理を省くことができ、消費電力を低減できるからである。例えば、通信中の周波数が優先周波数ｆ１であり、移動状態が超高速であったとする。この場合には、異周波測定結果報告はしないのであるから、異周波測定結果報告の頻度の変更や異周波測定開始閾値の変更をしても無駄になる。変形例３のように、異周波測定結果報告の頻度を判断して報告しない場合には以降の処理を取りやめ、報告する場合には異周波測定開始閾値の変更を判断して異周波測定を開始しない場合は以降の処理を取りやめ、これらの条件をクリヤした場合に限って、無線品質のオフセット値の変更を判断して異周波測定結果をネットワークに報告することが好ましい。
【００５１】
＜第１実施形態の変形例４＞
上述した第１実施形態、及び変形例１乃至３では、優先すべき周波数が固定であり、パラメータ記憶部１０８は、予め定められた周波数に対応付けてパラメータを記憶していた。これに対して、変形例４は、移動機１００が、優先して使用される周波数を基地局２０から取得する。すなわち、移動機１００と通信中の基地局２０が、周期的あるいは移動機１００からの要求に応じて、当該基地局２０の周辺に存在する複数の基地局２０で最も良く使用される周波数を移動機１００に通知する。この通知によって、移動機１００に優先周波数が知らされる。
【００５２】
変形例４のパラメータ記憶部１０８は、優先周波数のパラメータと他の周波数のパラメータとを移動状態に対応付けて記憶している。図１０にパラメータがオフセット値である場合におけるパラメータ記憶部１０８の記憶内容を示す。この図に示すように、パラメータ記憶部１０８には、どのような周波数が優先周波数になってもよいが、通信中の周波数がネットワーク２００から通知された優先周波数と一致する場合に選択されるオフセット値と、通信中の周波数が他の周波数である場合に選択されるオフセット値とが記憶されている。
【００５３】
次に、変形例４に係るＣＰＵが、異周波ハンドオーバーに係るプログラムを実行する場合の動作について説明する。図１１は、ＣＰＵの動作を示すフローチャートである。
ＣＰＵは、移動機１００の移動速度を特定し(ステップＳ４０１)、移動速度を５段階に区分けして移動状態を特定する(ステップＳ４０２)。
次に、ＣＰＵは、優先周波数をネットワーク２００から取得する(ステップＳ４０３)。この後、ＣＰＵは、現在、受信部１０３を用いてネットワーク２００と通信中の下りの周波数を特定し、この周波数が優先周波数と一致するか判定する(ステップＳ４０４)。すなわち、ＣＰＵは通信中の周波数が前記優先周波数であるか否かを判定する判定部として機能する。
【００５４】
次に、ＣＰＵは、移動状態と判定結果に基づいて、オフセット値をパラメータ記憶部１０８から読み出す(ステップＳ４０５)。判定結果が優先周波数を示す場合には、ＣＰＵは優先周波数に対応するオフセット値を読み出す。一方、判定結果が優先周波数を示さない場合には、ＣＰＵは他の周波数に対応するオフセット値を読み出す。
次に、ＣＰＵは、測定部１１１を用いて異周波ハンドオーバーの候補となる周波数の無線品質を測定する(ステップＳ４０６)。この後、ＣＰＵは測定値にオフセット値（dB）を加算して測定値を補正して制御情報を生成し(ステップＳ４０７)、制御情報を送信部１０１に供給して、制御情報をネットワーク２００に報告する(ステップＳ４０８)。すなわち、ＣＰＵは、判定結果と移動状態（移動速度）に基づいて、パラメータ記憶部１０８からパラメータを読み出し、読み出したパラメータに基づいて、制御情報の内容を変更する変更部として機能する。
【００５５】
このように変形例４では優先周波数をネットワーク２００から取得するようにしたので、優先周波数に変更があった場合にも対応することができる。また、ネットワーク２００において、周辺の基地局２０で共通して使用でき、且つ込み合っていない周波数を優先周波数として移動機１００に通知することによって、異周波ハンドオーバーを抑制することができる。
【００５６】
＜第２実施形態＞
上述した第１実施形態では移動機１００においてパラメータを決定した。これに対して第２実施形態では、ネットワーク２００においてパラメータを決定する。
図１２にネットワーク２００の構成を示す。ネットワーク２００は移動機１００にデータを送信するための送信部２０１、送信部２０１を制御するための送信制御部２０２、移動機１００からの信号を受信するための受信部２０３、受信部２０３を制御するための受信制御部２０４を有する。これらの構成要素は基地局２０に設けられる。
【００５７】
また、ネットワーク２００は速度特定部２０５を備える。この例では、第１実施形態で説明したように移動機１００において、加速度センサ１０６や地磁気センサ１０７を用いて移動速度を特定し、移動速度を区分けして移動状態を特定する。そして、移動機１００は移動状態をネットワーク２００に通知する。
【００５８】
速度特定部２０５は、移動機１００から送信される移動状態を、受信部２０３及び受信制御部２０４を介して取得し記憶する。上述したように移動状態は移動速度を５段階に分類したものであるから、速度特定部２０５は移動機１００の移動速度を特定する機能を備える。なお、移動状態を移動機１００から取得するのではなく、速度特定部２０５は、ネットワーク２００で取得した情報に基づいて速度特定部２０５においてユーザーの移動状態を判定してもよい。より具体的には、単位時間当たりに移動機１００が通信をする基地局２０を切り替える回数、あるいは移動機１００が通信をする基地局２０の位置(緯度経度)が、ネットワーク２００で取得した情報に該当する。速度特定部２０５は、その情報を基づいて移動機１００の移動速度および移動方向を判定する。
【００５９】
ネットワーク２００は、パラメータ記憶部２０６を備える。パラメータ記憶部２０６は、移動状態とパラメータとを対応付けて、周波数ごとに記憶している。この例においてパラメータは基地局送信電力閾値である。この移動通信システムでは、通信電力制御を実行する。すなわち、基地局は移動機１００の無線品質を監視し、無線品質に応じて送信電力を制御している。このため、通信中の基地局２０から移動機１００が離れるにつれ、基地局２０の送信電力は大きくなる。第２実施形態では、地局送信電力が基地局送信電力閾値を超えると、異周波ハンドオーバーを実施する。したがって、基地局送信電力閾値は、異周波ハンドオーバーの実施条件を規定する基地局送信電力である。
【００６０】
図１３（Ａ）に、パラメータ記憶部２０６の記憶内容を示す。この例では、ｎ個の周波数ｆ１、ｆ２、…ｆｎの各々について、移動状態と基地局送信電力閾値とが対応付けられて記憶されている。ここで、周波数ｆ１は、他の周波数ｆ２〜ｆｎと比較して、利用できるエリアが広い周波数である。このため、周波数ｆ１は他の周波数ｆ２〜ｆｎと比較して、高速で移動する移動機１００に優先して割り当てる優先周波数として機能する。
【００６１】
移動状態が、超高速、高速、中速、低速、及び静止の各々における基地局送信電力閾値をＸ１、Ｘ２、Ｘ３、Ｘ４、及びＸ５とすると、周波数ｆ１では、Ｘ１＝３０、Ｘ２＝２６、Ｘ３＝２３、Ｘ４＝２０、及びＸ５＝２０である。これに対して、周波数ｆ２では、Ｘ１＝２６、Ｘ２＝２３、Ｘ３＝２０、Ｘ４＝２０、及びＸ５＝２０である。基地局送信電力閾値は、通常は ２０ｄＢｍであるところを移動状態に応じて変化させ，且つ、移動機１００が高速で移動する場合には、周波数ｆ１は周波数ｆ２と比較して基地局送信電力閾値が大きくなるように設定されている。
なお、他の周波数ｆ２〜ｆｎの基地局送信電力閾値が共通の場合には、パラメータ記憶部２０６の記憶内容は図１３（Ｂ）に示すように、優先周波数ｆ１と他の周波数ｆ２〜ｆｎごとに記憶してもよい。
【００６２】
次に、基地局測定部２０８は、基地局２０において移動機１００との通信に用いる個別チャネルの送信電力を測定し、その測定値と通信中の周波数を示す情報をハンドオーバー判定部２０７に通知する。
次に、ハンドオーバー判定部２０７は、パラメータ記憶部２０６にアクセスして、速度特定部２０５から受け取った移動状態（移動速度）、基地局測定部２０８から受け取った通信中の周波数に対応する基地局送信電力閾値を読み出す。また、ハンドオーバー判定部２０７は、基地局送信電力と基地局送信電力閾値とを比較し、比較結果に基づいて異周波ハンドオーバーの実施を決定する。より具体的には、ハンドオーバー判定部２０７は、基地局送信電力が基地局送信電力閾値を下回る場合に異周波ハンドオーバーを実施すると判定する一方、基地局送信電力が基地局送信電力閾値を下回る場合に異周波ハンドオーバーを実施しないと判定する。
【００６３】
異周波ハンドオーバーを実施する場合、ハンドオーバー判定部２０７は、送信制御部２０１及び送信部２０１を介して、異周波ハンドオーバーを実施する通知を通信中の移動機１００に伝える。
【００６４】
以上の構成において、送信部２０１、送信制御部２０２、受信部２０３、受信制御部２０４、及び基地局測定部２０８は、基地局２０が備える。一方、速度特定部２０５、パラメータ記憶部２０６及びハンドオーバー判定部２０７は、その一部又は全部が基地局２０にあってもよいし、あるいは、基地局２０の外部（例えば、図１に示す無線ネットワークコントローラ３０）にあってもよい。
【００６５】
次に、ハンドオーバー判定部２０７の動作について説明する。図１４は、ハンドオーバー判定部の動作を示すフローチャートである。
まず、ハンドオーバー判定部２０７は、移動機１００の移動状態を取得し（ステップＳ５０１）、さらに、移動機１００と通信中の周波数を取得する（ステップＳ５０２）。次に、ハンドオーバー判定部２０７は、移動状態及び通信中の周波数に対応する基地局送信電力閾値をパラメータ記憶部２０６から読み出す（ステップＳ５０３）。
【００６６】
次に、ハンドオーバー判定部２０７は、基地局送信電力を基地局測定部２０８から取得する（ステップＳ５０４）。この後、ハンドオーバー判定部２０７は、基地局送信電力が基地局送信電力閾値を超えるか否かを判定する（ステップＳ５０５）。判定条件が肯定された場合は異周波ハンドオーバーが実施され、判定条件が否定された場合は異周波ハンドオーバーが実施されず処理が終了する。
【００６７】
例えば、ユーザーが高速鉄道に乗車しており、移動機１００が２６０ｋｍ／ｈで移動している場合を想定する。現在、ある基地局２０と周波数ｆ１で通信中であり、当該基地局２０の送信電力が２８ｄＢｍであったとする。この場合、ネットワーク２００では、移動速度が２５０ｋｍ／ｈであるので移動状態を超高速と特定し、パラメータ記憶部２０６から、超高速の移動状態及び周波数ｆ１に対応する基地局送信電力閾値として、３０ｄＢｍを読み出す。基地局送信電力閾値３０ｄＢｍと基地局送信電力２８ｄＢｍを比較すると、基地局送信電力２８ｄＢｍは小さいので、異周波ハンドオーバーは実施されない。
ここで、通信中の周波数が周波数ｆ２である場合には、基地局送信電力閾値として、２６ｄＢｍが読み出される。基地局送信電力閾値２６ｄＢｍと基地局送信電力２８ｄＢｍを比較すると、基地局送信電力２８ｄＢｍは大きいので、異周波ハンドオーバーが実施される。すなわち、ＣＰＵは、通信中の周波数と移動速度とに基づいて、基地局送信電力閾値を読み出すことによって、異周波ハンドオーバーの実施条件を設定する。また、ＣＰＵは、通信中の周波数が優先周波数ｆ１である場合には、その他の周波数ｆ２〜ｆｎである場合と比較して、異周波ハンドオーバーの実施条件が厳しくなるように基地局送信電力閾値を変更する変更部として機能する。
これによって、通信中の周波数が優先周波数である場合には、異周波ハンドオーバーの実施が抑制され、呼切断の確率を低減すると共に移動機１００の消費電力を低減することができる。
【００６８】
＜第２実施形態の変形例１＞
上述した第１実施形態では、基地局送信電力閾値を通信中の周波数に応じて変更したが、異周波ハンドオーバーの実施条件の変更は、ネットワーク２００から移動機１００に伝える圧縮モード起動通知を変更してもよい。異周波ハンドオーバーは、ネットワーク２００から移動機１００への圧縮モード起動通知を契機として実行される。
すなわち、移動機１００では、異周波ハンドオーバーを実施する場合、通常モードから圧縮モードへ切り替える。圧縮モードでは、音声通信に係るデータを圧縮して送信する。例えば、通常モードでは８ｋｂｐｓの伝送レートのトラフィックチャネルを、圧縮モードでは１６ｋｂｐｓの伝送レートに変更する。これにより、２フレーム分のデータを１フレーム分に圧縮して、１フレームの空きを確保する。移動機１００は空きの１フレームを利用して異周波の無線品質を測定し、測定結果をネットワーク２００に報告する。ネットワーク２００は、報告に基づいて異周波ハンドオーバーの可否を判定する。
したがって、圧縮モード起動通知をネットワーク２００から移動機１００へ送信しなければ、異周波ハンドオーバーは実施されない。この変形例１では、圧縮モード起動通知を移動機１００に送信する条件を変更する。
【００６９】
変形例１のパラメータ記憶部２０６は、周波数ごとに、圧縮モード起動通知の有無と移動状態とを対応付けて記憶している。図１５（Ａ）に変形例に係るパラメータ記憶部２０６の記憶内容を示す。ここで、周波数ｆ１は優先して使用される周波数であり、周波数ｆ２〜ｆｎは、優先して使用される周波数以外の他の周波数である。なお、他の周波数ｆ２〜ｆｎの圧縮モード起動通知の有無が共通の場合には、パラメータ記憶部２０６の記憶内容は図１５（Ｂ）に示すように、優先周波数ｆ１と他の周波数ｆ２〜ｆｎごとに記憶してもよい。
【００７０】
次に、変形例１に係るハンドオーバー判定部２０７の動作について説明する。図１６は、ハンドオーバー判定部の動作を示すフローチャートである。
まず、ハンドオーバー判定部２０７は、移動機１００の移動状態を取得し（ステップＳ６０１）、さらに、移動機１００と通信中の周波数を取得する（ステップＳ６０２）。次に、ハンドオーバー判定部２０７は、移動状態及び通信中の周波数に対応する圧縮モード通知有無をパラメータ記憶部２０６から読み出す（ステップＳ６０３）。
【００７１】
次に、ハンドオーバー判定部２０７は、圧縮モード起動通知の有無を判定し（ステップＳ６０４）、圧縮モード起動通知がなしの場合は、基地局の送信電力にかかわらず処理を終了する。一方、圧縮モード起動通知がありの場合、ハンドオーバー判定部２０７は、基地局送信電力を基地局測定部２０８から取得する（ステップＳ６０５）。この後、ハンドオーバー判定部２０７は、基地局送信電力が起動閾値を超えるか否かを判定する（ステップＳ６０５）。起動閾値はハンドオーバー判定部２０７が記憶している。判定条件が肯定された場合、ハンドオーバー判定部２０７は圧縮モード起動通知を送信制御部及び送信部を介して移動機１００に送信する（ステップＳ６０６）。一方、判定条件が否定された場合には、ハンドオーバー判定部２０７は処理を終了する。
このように起動閾値を変更することによって、優先周波数で通信中には異周波ハンドオーバーの実施を抑制することができる。
【００７２】
＜第２実施形態の変形例２＞
変形例１では、圧縮モード起動通知の有無を移動状態と通信中の周波数に対応付けて記憶しておき、圧縮モード起動通知ありの場合に所定の条件を充足すると、圧縮モード起動通知をネットワーク２００から移動機１００へ送信した。これに対して、変形例２は、起動閾値に対するオフセット値を移動状態と通信中の周波数に対応付けて記憶し、オフセット値を用いて圧縮モード起動通知を移動機１００へ送信するか否を制御する。
【００７３】
変形例２のパラメータ記憶部２０６は、周波数ごとに、起動閾値のオフセット値と移動状態とを対応付けて記憶している。
図１７（Ａ）に変形例２に係るパラメータ記憶部２０６の記憶内容を示す。ここで、周波数ｆ１は優先して使用される周波数であり、周波数ｆ２〜ｆｎは、優先して使用される周波数以外の他の周波数である。なお、他の周波数ｆ２〜ｆｎの圧縮モード起動通知の有無が共通の場合には、パラメータ記憶部２０６の記憶内容は図１７（Ｂ）に示すように、優先周波数ｆ１と他の周波数ｆ２〜ｆｎごとに記憶してもよい。
【００７４】
次に、変形例２に係るハンドオーバー判定部２０７の動作について説明する。図１８は、ハンドオーバー判定部の動作を示すフローチャートである。
まず、ハンドオーバー判定部２０７は、移動機１００の移動状態を取得し（ステップＳ７０１）、さらに、移動機１００と通信中の周波数を取得する（ステップＳ７０２）。次に、ハンドオーバー判定部２０７は、移動状態及び通信中の周波数に対応する起動閾値に対するオフセット値をパラメータ記憶部２０６から読み出す（ステップＳ７０３）。
【００７５】
次に、ハンドオーバー判定部２０７は、読み出したオフセット値を起動閾値に加算して、起動閾値を補正し、補正起動閾値を生成する（ステップＳ７０４）。この後、ハンドオーバー判定部２０７は、ハンドオーバー判定部２０７は、基地局送信電力を基地局測定部２０８から取得する（ステップＳ７０５）。次に、ハンドオーバー判定部２０７は、基地局送信電力が補正起動閾値を超えるか否かを判定する（ステップＳ７０６）。判定条件が肯定された場合、ハンドオーバー判定部２０７は圧縮モード起動通知を送信制御部及び送信部を介して移動機１００に送信する（ステップＳ７０７）。一方、判定条件が否定された場合には、ハンドオーバー判定部２０７は処理を終了する。
【００７６】
＜第２実施形態の変形例３＞
上述した第２実施形態、変形例１、及び変形例２は、適宜組み合わせてもよい。例えば、第２実施形態及び変形例１、又は第２実施形態及び変形例２を重複して適用する場合には、１）圧縮モード起動通知の有無、２）基地局送信電力閾値の変更を実行することになる。この場合、圧縮モード起動通知の有無→基地局送信電力閾値の変更の順に判断することが好ましい。このような順序で判断すれば、無駄な処理を省くことができるからである。
【００７７】
＜応用例＞
上述した第１実施形態、第２実施形態及び各種変形例は、異周波ハンドオーバーを実施する際にネットワーク２００において異周波ハンドオーバーの可否を判断し，移動機１００にハンドオーバーを実施するための指示を通知する場合を例示したが、本発明はこれに限定されない。すなわち、移動機１００が異周波ハンドオーバーの可否を判断してハンドオーバー実施の通知をネットワーク２００に送信することにより，移動機１００及びネットワーク２００において異周波ハンドオーバーを実施してもよい。この場合は、異周波ハンドオーバーの契機を移動機で判断することのみが、第１実施形態、第２実施形態及び各種変形例と異なるだけである。
上述した第１実施形態、第２実施形態及び各種変形例において説明したハンドオーバーは、上りの通信、下りの通信、又は上りと下りの両方の通信に適用してもよい。
また、上述した第１実施形態とその変形例１乃至４で説明した移動機１００と、第２実施形態とその変形例１乃至３で説明したネットワーク２００とを適宜組み合わせてもよい。
【符号の説明】
【００７８】
２０…基地局、１００…移動機、１０８…パラメータ記憶部、１０６…加速度センサ、１０７…地磁気センサ、１１１…測定部、２０６…パラメータ記憶部、２０７…ハンドオーバー判定部、２００…ネットワーク。
【図１】
2011103510.tif 000003
【図２】
2011103510.tif 000004
【図３】
2011103510.tif 000005
【図４】
2011103510.tif 000006
【図５】
2011103510.tif 000007
【図６】
2011103510.tif 000008
【図７】
2011103510.tif 000009
【図８】
2011103510.tif 000010
【図９】
2011103510.tif 000011
【図１０】
2011103510.tif 000012
【図１１】
2011103510.tif 000013
【図１２】
2011103510.tif 000014
【図１３】
2011103510.tif 000015
【図１４】
2011103510.tif 000016
【図１５】
2011103510.tif 000017
【図１６】
2011103510.tif 000018
【図１７】
2011103510.tif 000019
【図１８】
2011103510.tif 000020